【手続補正書】
【提出日】令和1年9月25日(2019.9.25)
【手続補正１】
【補正対象書類名】明細書
【補正対象項目名】００７９
【補正方法】変更
【補正の内容】
【００７９】
８０８において、任意の好適な技術又は技術の組み合わせを使用して、マスク本体がカップ形状構成になるようにマスク本体２１２を開くことができる。８１０において、呼気弁２７０が折り目線２２２上の中央領域２０２に配置されるように、かつ、支持要素２７２が呼気弁のベース２７４に接続され、ベースの外周から延在し、マスク本体２１２と接触するように、呼気弁２７０をマスク本体２１２に接続することができる。任意の好適な技術又は技術の組み合わせを使用して、呼気弁２７０をマスク本体２１２に接続することができる。１つ以上の実施形態では、呼気弁２７０が開口部を実質的に覆うように開口部２０１の上に呼気弁を設けることによって、呼気弁をマスク本体２１２の中央領域２０２に接続することができる。１つ以上の実施形態では、呼気弁２７０は、開口部２０１を完全に覆う。
以下、本発明の他の実施形態を記載する。
［１］
マスク本体を備える折り畳み可能な濾過フェイスピース呼吸マスクであって、前記マスク本体は、前記マスク本体を第１の部分と第２の部分とに分離する境界線を有し、前記呼吸マスクは、前記境界線上かつ前記マスク本体の中央領域に配置されることで使用中に着用者の口の上に本質的に配置される呼気弁を更に有し、前記境界線が前記弁の場所で不連続である、折り畳み可能な濾過フェイスピース呼吸マスク。
［２］
前記境界線は前記マスク本体を二分する、［１］に記載の折り畳み可能なフェイスピース呼吸マスク。
［３］
前記境界線は、溶接線、継ぎ目、又は折り目を含む、［１］又は［２］に記載の折り畳み可能なフェイスピース呼吸マスク。
［４］
前記境界線によって、前記マスク本体の前記第１の部分及び前記第２の部分の少なくとも一部を前記境界線に沿って折り畳むことが可能になる、［３］に記載の折り畳み可能なフェイスピース呼吸マスク。
［５］
前記マスク本体は、前記境界線を含む中央パネルを備え、前記境界線は、前記中央パネルを前記第１の部分と前記第２の部分とに分離し、前記マスク本体は、前記中央パネル内に折り畳むことができるように前記中央パネルの前記第１の部分に接合された第１のパネルを更に備え、前記マスク本体は、前記中央パネル内に折り畳むことができるように前記中央パネルの前記第２の部分に接合された第２のパネルを備える、［１］〜［４］のいずれか一項に記載の折り畳み可能な濾過フェイスピース呼吸マスク。
［６］
前記マスク本体の前記第１の部分が前記マスク本体の上部分を形成し、かつ前記第２の部分が前記マスク本体の下部分を形成するように、前記境界線が横方向に延在する、［１］〜［５］のいずれか一項に記載の折り畳み可能なフェイスピース呼吸マスク。
［７］
前記マスク本体は、前記中央パネル内に折り畳むことができるように前記中央パネルの前記上部分に接合された第１のパネルを備え、前記マスク本体は、前記中央パネル内に折り畳むことができるように前記中央パネルの前記下部分に接合された第２のパネルを備える、［６］に記載の折り畳み可能な濾過フェイスピース呼吸マスク。
［８］
前記マスク本体は構造パターンを更に含む、［１］〜［７］のいずれか一項に記載の折り畳み可能な濾過フェイスピース呼吸マスク。
［９］
前記構造パターンは約５〜３０ｃｍ２の面積を占める、［８］に記載の折り畳み可能な濾過フェイスピース呼吸マスク。
［１０］
前記呼気弁が前記構造パターン内に配置される、［８］又は［９］に記載の折り畳み可能な濾過フェイスピース呼吸マスク。
［１１］
前記構造パターンは、溶接線、継ぎ目、及びステッチ線のうちの少なくとも１つを含む線を含み、それぞれの線は厚さ約２〜７ｍｍである、［８］〜［１０］のいずれか一項に記載の折り畳み可能な濾過フェイスピース呼吸マスク。
［１２］
前記構造パターンは、第１の溶接パターン及び第２の溶接パターンを含み、前記第１の溶接パターン及び前記第２の溶接パターンは、前記マスク本体の前記第１の部分及び前記第２の部分の一方又は両方に設けられるが前記境界線を横断しない、［８］に記載の折
り畳み可能な濾過フェイスピース呼吸マスク。
［１３］
前記第１の溶接パターン及び前記第２の溶接パターンのそれぞれは１つ以上の三角形を含む、［１２］に記載の折り畳み可能な濾過フェイスピース呼吸マスク。
［１４］
前記呼気弁は、前記第１の構造パターンと前記第２の構造パターンとの間に配置される、［１２］又は［１３］に記載の折り畳み可能な濾過フェイスピース呼吸マスク。
［１５］
前記マスク本体は、濾過層及び１つ以上のカバーウェブ層を含む濾過構造体を更に備える、［１］〜［１４］のいずれか一項に記載の平坦折り畳み式濾過フェイスピース呼吸マスク。
［１６］
前記弁は、前記マスク本体の外側に、矩形又は球状であって、１ｃｍ超かつ６ｃｍ未満の最長軸線を有する弁ハウジングを有する、［１］〜［１５］のいずれか一項に記載の折り畳み可能な濾過フェイスピース呼吸マスク。
［１７］
前記マスク本体に固定されたハーネスを更に備える、［１］〜［１６］のいずれか一項に記載の折り畳み可能な濾過フェイスピースマスク。
［１８］
折り畳み可能な濾過フェイスピース呼吸マスクを形成する方法であって、
マスク本体を備える折り畳み可能な濾過フェイスピース呼吸マスクであって、前記マスク本体は、前記マスク本体を第１の部分と第２の部分とに分離する境界線を含む、折り畳み可能な濾過フェイスピース呼吸マスクを準備することと、
使用中に着用者の口の上に本質的に配置されるように、前記境界線を通って前記マスク本体の中央領域に呼気弁を配置するための開き口を形成することと、
前記呼気弁を前記マスク本体に取り付けることと、を含む、方法。
［１９］
折り畳み可能な濾過フェイスピース呼吸マスクであって、
境界線により分離された第１の部分及び第２の部分を含むマスク本体であって、前記境界線はマスク本体折り目線を含む、マスク本体と、
前記マスク本体に接続されたハーネスと、
前記境界線上かつ前記マスク本体の中央領域に配置された呼気弁であって、ベース、及び前記ベースに取り付けられたカバーを含む、呼気弁と、
前記呼気弁の前記ベースに接続され、前記ベースの外周から延在する支持要素であって、前記マスク本体がカップ形状構成である時には、前記支持要素は前記マスク本体と接触している、支持要素と、を備える、折り畳み可能な濾過フェイスピース呼吸マスク。
［２０］
前記支持要素は、前記呼気弁の前記ベースを完全に包囲する、［１９］に記載の呼吸マスク。
［２１］
前記支持要素は、前記呼気弁の前記ベースと一体である、［１９］又は［２０］に記載の呼吸マスク。
［２２］
前記呼吸マスクは、前記呼気弁の前記ベースに接続され、前記ベースの前記外周から延在する第２の支持要素を含み、前記支持要素は、前記ベースの前記外周から第１の方向に延在し、前記第２の支持要素は、前記ベースの前記外周から第２の方向に延在する、［１９］又は［２０］に記載の呼吸マスク。
［２３］
前記境界線は、前記マスク本体を二分する、［１９］〜［２２］のいずれか一項に記載の呼吸マスク。
［２４］
前記境界線は、前記マスク本体を横切って横方向に延在し、前記第１の部分は、前記マスク本体の上部分を含み、前記第２の部分は、前記マスク本体の下部分を含む、［１９］〜［２３］のいずれか一項に記載の呼吸マスク。
［２５］
前記境界線は、前記マスク本体の外周の頂部外周セグメントから下部外周セグメントまで垂直に延在し、前記第１の部分は、前記マスク本体の右側部分を含み、前記第２の部分は、前記マスク本体の左側部分を含む、［１９］〜［２３］のいずれか一項に記載の呼吸マスク。
［２６］
前記支持部材は空気透過性支持部材を含む、［１９］〜［２５］のいずれか一項に記載の呼吸マスク。
［２７］
前記空気透過性支持部材は透かし網目構造体を含む、［２６］に記載の呼吸マスク。
［２８］
前記空気透過性支持部材はメッシュを含む、［２６］に記載の呼吸マスク。
［２９］
前記支持部材は、前記支持部材に入る空気が前記マスク本体を通るように方向付けるようになっている１つ以上の空気チャネルを含む、［１９］〜［２８］のいずれか一項に記載の呼吸マスク。
［３０］
前記支持部材は、前記ベースに枢動可能に取り付けられる、［１９］〜［２９］のいずれか一項に記載の呼吸マスク。
［３１］
前記支持部材の一部分は、前記マスク本体と前記マスク本体の外周に接続されたタブとの間に設けられる、［１９］〜［３０］のいずれか一項に記載の呼吸マスク。
［３２］
前記ハーネスは前記支持部材に接続される、［１９］〜［３１］のいずれか一項いずれか一項に記載の呼吸マスク。
［３３］
前記マスク本体は、内側カバーウェブ、外側カバーウェブ、及び前記内側カバーウェブと前記外側カバーウェブとの間に設けられた濾材を更に含む、［１９］〜［３２］のいずれか一項に記載の呼吸マスク。
［３４］
前記支持部材は、前記マスク本体の前記濾材と前記内側カバーウェブとの間に設けられる、［３３］に記載の呼吸マスク。
［３５］
前記支持部材は、前記マスク本体の前記濾材と前記外側カバーウェブとの間に設けられる、［３３］に記載の呼吸マスク。
［３６］
濾過フェイスピース呼吸マスクを製造する方法であって、
マスク本体を形成することと、
前記マスク本体に、前記マスク本体を第１の部分と第２の部分とに分離するマスク本体折り目線を形成することであって、前記第１の部分及び前記第２の部分は前記マスク本体折り目線を中心に回転するようになっている、マスク本体折り目線を形成することと、
支持要素が前記呼気弁のベースに接続されて前記ベースの外周から延在し、かつ前記マスク本体と接触するように、前記本体折り目線の上で呼気弁を前記マスク本体の中央領域に接続することと、を含む、方法。
［３７］
前記呼気弁を前記マスク本体の前記中央領域に接続する前に、前記マスク本体の前記中
央領域に開口部を形成することを更に含み、前記呼気弁を接続することは、前記呼気弁が前記開口部を実質的に覆うように前記開口部の上に前記呼気弁を設けることを含む、［３６］に記載の方法。
［３８］
前記マスク本体の前記中央領域の前記開口部は、前記マスク本体折り目線を形成する前に形成され、前記マスク本体折り目線は、前記開口部と交差する、［３７］に記載の方法。
［３９］
前記マスク本体折り目線を形成することは、前記マスク本体を折り畳むことを含む、［３６］〜［３８］のいずれか一項に記載の方法。
［４０］
前記本体折り目線の上で前記呼気弁を前記マスク本体の前記中央領域に接続する前に、前記マスク本体を展開することを更に含む、［３９］に記載の方法。
［４１］
前記マスク本体にハーネスを取り付けることを更に含む、［３６］〜［４０］のいずれか一項に記載の方法。
［４２］
前記マスク本体に前記ハーネスを取り付けることは、前記支持要素に前記ハーネスを取り付けることを含む、［４１］に記載の方法。
【手続補正２】
【補正対象書類名】特許請求の範囲
【補正対象項目名】全文
【補正方法】変更
【補正の内容】
【特許請求の範囲】
【請求項１】
マスク本体を備える折り畳み可能な濾過フェイスピース呼吸マスクであって、前記マスク本体は、前記マスク本体を第１の部分と第２の部分とに分離する境界線を有し、前記呼吸マスクは、前記境界線上かつ前記マスク本体の中央領域に配置されることで使用中に着用者の口の上に本質的に配置される呼気弁を更に有し、前記境界線が前記弁の場所で不連続である、折り畳み可能な濾過フェイスピース呼吸マスク。
【請求項２】
前記マスク本体の前記第１の部分が前記マスク本体の上部分を形成し、かつ前記第２の部分が前記マスク本体の下部分を形成するように、前記境界線が横方向に延在する、請求項１のいずれか一項に記載の折り畳み可能なフェイスピース呼吸マスク。
【請求項３】
前記マスク本体は、前記中央パネル内に折り畳むことができるように前記中央パネルの前記上部分に接合された第１のパネルを備え、前記マスク本体は、前記中央パネル内に折り畳むことができるように前記中央パネルの前記下部分に接合された第２のパネルを備える、請求項２に記載の折り畳み可能な濾過フェイスピース呼吸マスク。
【請求項４】
折り畳み可能な濾過フェイスピース呼吸マスクを形成する方法であって、
マスク本体を備える折り畳み可能な濾過フェイスピース呼吸マスクであって、前記マスク本体は、前記マスク本体を第１の部分と第２の部分とに分離する境界線を含む、折り畳み可能な濾過フェイスピース呼吸マスクを準備することと、
使用中に着用者の口の上に本質的に配置されるように、前記境界線を通って前記マスク本体の中央領域に呼気弁を配置するための開き口を形成することと、
前記呼気弁を前記マスク本体に取り付けることと、を含む、方法。
【請求項５】
折り畳み可能な濾過フェイスピース呼吸マスクであって、
境界線により分離された第１の部分及び第２の部分を含むマスク本体であって、前記境界線はマスク本体折り目線を含む、マスク本体と、
前記マスク本体に接続されたハーネスと、
前記境界線上かつ前記マスク本体の中央領域に配置された呼気弁であって、ベース、及び前記ベースに取り付けられたカバーを含む、呼気弁と、
前記呼気弁の前記ベースに接続され、前記ベースの外周から延在する支持要素であって、前記マスク本体がカップ形状構成である時には、前記支持要素は前記マスク本体と接触している、支持要素と、を備える、折り畳み可能な濾過フェイスピース呼吸マスク。
【請求項６】
濾過フェイスピース呼吸マスクを製造する方法であって、
マスク本体を形成することと、
前記マスク本体に、前記マスク本体を第１の部分と第２の部分とに分離するマスク本体折り目線を形成することであって、前記第１の部分及び前記第２の部分は前記マスク本体折り目線を中心に回転するようになっている、マスク本体折り目線を形成することと、
支持要素が前記呼気弁のベースに接続されて前記ベースの外周から延在し、かつ前記マスク本体と接触するように、前記本体折り目線の上で呼気弁を前記マスク本体の中央領域に接続することと、を含む、方法。